(57)【要約】      （修正有）【課題】ＬＥＤ蛍光灯管の改良構造を提供する。【解決手段】光透過性のカバー１１、放熱台１２、少なくとも一つの板状のＬＥＤ１３と、一対のサイドカーバー１４と、を備える。光透過性のカバーは、放熱口１１１と嵌置溝を設けられ、放熱口は、内部に延在する一対の第１フック１１２を設けられ、放熱台の上面は、板状のＬＥＤ灯を載置していて、かつ光透過性のカバーの内部に嵌設され、放熱台の底面は、垂直した下向きの開口部が次第に開く係合溝１２４を有し、光透過性のカバーを係合させる。また、一対のサイドカーバーは、それぞれ光透過性のカバーの両端部を被せて封止する。これにより、係合溝の設計角度によって、組み立てるときの係合効果が向上され、放熱口の空間距離が確保されるほか、係合溝が放熱台に接続する場所を厚くし、放熱台全体の強度を向上し、組み立て後の曲げ変形を防止すると共に、使用の美観性と使用効果を向上できる。【選択図】図１
0003173346.tif 000002
【実用新案登録請求の範囲】
【請求項１】
光透過性のカバー、放熱台、少なくとも一つの板状のＬＥＤ灯と、一対のサイドカーバーと、を備えるＬＥＤ蛍光灯管の改良構造であって、
前記光透過性のカバーは、弾性の透光性部材からなる円管状の構造体であり、前記光透過性のカバーの軸方向に沿って放熱口を設けられ、前記放熱口は、前記光透過性のカバーの内部に延在する一対の第１フックを設けていて、かつ前記光透過性のカバーの内壁面は、一対の突起リブを設けられ、嵌置溝を形成する、
前記放熱台は、前記嵌置溝に挿設していて、かつ前記放熱台の底面は、垂直した下向きの開口部が次第に拡大する係合溝を設けられ、前記光透過性のカバーの一対の第１フックを支えて、光透過性のカバーを係合して置く、
少なくとも一つの板状のＬＥＤ灯は、前記放熱台の上面に固設され、前記板状のＬＥＤ灯は、複数の発光ダイオードを設けられている、
前記一対のサイドカーバーは、絶縁部材からなり、前記光透過性のカバーの両端部に嵌装され、前記サイドカーバーの内部は、一対の電気入力部と仕切板を設けられ、前記電気入力部は、前記板状のＬＥＤ灯と電気接続され、前記仕切板は、前記放熱口の間に設けられている、
ＬＥＤ蛍光灯管の改良構造。
【請求項２】
前記放熱台両側の縁部は、それぞれ延伸段を形成され嵌置溝に内設していて、かつ前記放熱台上面の片側は、案内溝を設けられ、前記案内溝に対向するもう一つの側面は、固定溝を設けられ、前記板状のＬＥＤ灯の側縁部は、前記案内溝の内部に組み込み取り付けられ、もう一つの側縁部は、固定溝の内部にねじ固定させるため、複数の取付穴を設けられていることを特徴とする、請求項１記載のＬＥＤ蛍光灯管の改良構造。
【請求項３】
前記固定溝に対向するもう一つの側面の係合溝に設けられる、Ｃ字溝をさらに有することを特徴とする、請求項２記載のＬＥＤ蛍光灯管の改良構造。
【請求項４】
前記サイドカーバーは、絶縁ねじを締めつけるため、前記Ｃ字溝に対応して、それぞれ取付穴を設けられていることを特徴とする、請求項３記載のＬＥＤ蛍光灯管の改良構造。
【請求項５】
前記絶縁ねじのボルト部は、絶縁部材からなることを特徴とする、請求項４記載のＬＥＤ蛍光灯管の改良構造。
【請求項６】
前記第１フックを支えるため、さらに一対の第２フックをそれぞれ前記係合溝の両端部に設けられていることを特徴とする、請求項１記載のＬＥＤ蛍光灯管の改良構造。
【請求項７】
前記放熱口は、空間距離を設けていて、かつ前記空間距離は、２ｍｍより小さいことを特徴とする、請求項１記載のＬＥＤ蛍光灯管の改良構造。
【請求項８】
前記放熱台の底面からは、前記放熱口の外縁部までは、沿面距離を設けていて、かつ前記沿面距離は、５ｍｍより大きいことを特徴とする、請求項１記載のＬＥＤ蛍光灯管の改良構造。
【請求項９】
前記仕切板の頂縁は、補強板を設けていて、かつ前記補強板は、前記第１フックに対応して支えることを特徴とする、請求項１記載のＬＥＤ蛍光灯管の改良構造。
【請求項１０】
前記放熱口を密着して閉止を形成するため、前記サイドカーバーの内部は、それぞれ突起塊を設けられていることを特徴とする、請求項１記載のＬＥＤ蛍光灯管の改良構造。
【考案の詳細な説明】
【技術分野】
【０００１】
本考案は、照明装置の分野に関し、特に各国の照明安全法規に適合し、しかも極めて良好な放熱効果を有するＬＥＤ蛍光灯管の改良構造に関する。
【背景技術】
【０００２】
発光ダイオード（Ｌｉｇｈｔ  Ｅｍｉｔｔｉｎｇ  Ｄｉｏｄｅ，  ＬＥＤ）は、電力消費が少なく、輝度が良い、使用寿命が長い、水銀汚染がない、などの種々の長所を有している。近年、ＬＥＤは、ＬＥＤ蛍光灯管とＬＥＤ電球などの照明器具に大量に応用されている。このため、省エネ、低炭素排出の環境保護の流れを受けて、従来の蛍光灯管と電球は、次第にＬＥＤ蛍光灯管とＬＥＤ電球に取って代わられて来ている。
【０００３】
例えばＬＥＤ蛍光灯管は、主にシェイド、ランプホルダーと、少なくとも一つの板状のＬＥＤ灯と、を備える。板状のＬＥＤ灯は、複数の発光ダイオードを設けられ、板状のＬＥＤ灯は、ランプホルダーに取り付けられている。さらに、シェイドとランプホルダーの側面は、半弧形の構造体を形成し、組み立て後は、円管状の構造体を形成する。さらに、板状のＬＥＤ灯を取り付けるとき、ランプホルダー上に、あらかじめにねじを立てた後、複数の取付ねじによって、板状のＬＥＤ灯をその上に締めつける。さらに、締めつけるときは、取付ねじを一つずつ締めつけなければならない。長い時間とたくさんの人手、手間が掛かるほか、大量の取付ねじが使用されることから、生産コストがかさばる。さらに、締めつけ力量が管理しにくく、板状のＬＥＤ灯の曲げ不良の問題が残る。
【０００４】
さらに、板状のＬＥＤ灯は、使用時に大量な熱エネルギーを発生するため、ランプホルダーは通常、熱伝導効果の良いアルミ部材を用いて押し出し成形され、使用時の熱エネルギーを外部に伝導させる。一般ＬＥＤ蛍光灯管のランプホルダーは、非密閉形式に内設されており、灯管を交換するとき、不用意にランプホルダーに触れて、感電する恐れがある。このため、各国政府からＬＥＤ蛍光灯管について、各種の安全法規が制定されている。
【先行技術文献】
【特許文献】
【０００５】
【特許文献１】中華民国新型専利（実用新案）特許第Ｍ３８９８２７号
【考案の概要】
【考案が解決しようとする課題】
【０００６】
そのため、考案者が出願した中華民国新型専利（実用新案）特許第Ｍ３８９８２７号（特許文献１）、灯具の改良構造において、非導電部材からなるシェイドであって、アルミ押し出し成形からなる放熱部材と基板を完全に覆っておき、不用意に触れて感電する危険を防止できるＬＥＤ蛍光灯が開示されている。
シェイドの周縁部は、気体の流動を提供する放熱口を設けられ、基板上に備える複数のＬＥＤの発生熱を搬出させ、ＬＥＤの使用寿命を長くし、灯具の破損率を軽減する。特に注意したいことは、放熱口の大きさは、Ｏｐｅｎｉｎｇ  ｓａｆｅｔｙの要求によると、ＵＬ  １９９３  ＆  ＩＥＣ６２０３１、ＩＥＣ６１３４７−１とＩＥＣ６０５２９などの法要求を満たさなければならない。
しかし、実際に組み立てるとき、放熱口は、外部に拡大する設計になっていて、かつ放熱部材の底面は、放熱口を係合しながら、放熱口を所定の幅に維持させるため、開口部が次第に縮小する２つのサイドアームを設けられている。しかし、サイドアームの厚みが不足していて、かつサイドアームと放熱部材との挟み角が９０度以下になっており、放熱部材を支えることが難しい。よって、取り付けた後、両端部と中央部に曲げ変形を引き起し、放熱口の一部を締め切る現象により、使用の美観性と放熱効果が大幅に低下するため、改良の必要がある。
【課題を解決するための手段】
【０００７】
よって、考案者は、本考案にて斬新設計の放熱台構造を提案する。従来のシェイドを係合するため、底面は、垂直した下向きの開口部が次第に拡大する係合溝を設けられ、係合溝を厚くすることによって、全体の強度が大幅に向上されており、より長い灯管に適用しても、曲げ変形を引き起こすことはなく、かつ放熱口の一部が締め切る現象も引き起こされず、極めて良い使用効果を発揮できる。
【０００８】
本考案の一目的は、ＬＥＤ蛍光灯管の改良構造を提供する。放熱台に設けられる係合溝開口部の形状を利用し、光透過性のカバーの係合に提供し、組み立て後の緩みを防止し、光透過性のカバーに備える放熱口の開口部の空間距離を確保できる。
【０００９】
本考案つぎの目的は、ＬＥＤ蛍光灯の改良構造を提供する。係合溝が放熱台に接続する部位を厚くして置き、組み立て後全体の強度向上し、使用時の曲げ変形を防止する。
【００１０】
前記目的を達成するため、本考案のＬＥＤ蛍光灯管の改良構造は、光透過性のカバー、放熱台、少なくとも一つの板状のＬＥＤ灯、一対のサイドカーバーと、を備える。光透過性のカバーは、弾性の透光性部材からなる円管状構造体であり、光透過性のカバーの軸方向に沿って放熱口を設けられ、放熱口は、光透過性のカバーの内部に延在する第１フックを設けていて、かつ光透過性のカバーの内壁面は、一対の突起リブを設けられ嵌置溝を形成される。放熱台は、嵌置溝に挿設していて、かつ放熱台の底面は、光透過性のカバーの第１フックを支えるため、垂直した下向きの開口部が次第に拡大する係合溝を設けられている。少なくとも一つの板状のＬＥＤ灯は、放熱台の上面に固設され、板状のＬＥＤ灯は、複数の発光ダイオードを設けられている。一対のサイドカーバーは、絶縁部材からなり、光透過性のカバーの両端部に嵌装され、サイドカーバーの内部は、一対の導電部と一つの仕切板を内設され、導電部は、板状のＬＥＤ灯と電気接続され、仕切板は、放熱口の間に設けられている。そのうち、放熱口の開口部は、空間距離を設けていて、かつ空間距離は、２ｍｍより小さい。
【００１１】
そのうち、放熱台の底面から放熱口の外縁部は、沿面距離を設けていて、かつ沿面距離は、５ｍｍより大きい。
【００１２】
一実施例において、放熱台両側の縁部は、それぞれ延伸段を形成して嵌置溝に内設していて、かつ放熱台上面の片側は、案内溝を設けられ、案内溝に対向するもう一つの側面は、固定溝を設けられ、板状のＬＥＤ灯の側縁部は、案内溝の内部に組み込み取り付けられ、もう一つの側縁部は、固定溝の内部にねじ固定させるため、複数の取付穴を設けられている。さらに、固定溝もう一つの側面に備える係合溝は、サイドカーバーを締めつけるため、Ｃ字溝を設けていて、かつサイドカーバーは、絶縁ねじを締めつけるため、Ｃ字溝に対応して、それぞれ取付穴を設けられている。このほか、絶縁ねじのボルト部は、絶縁ねじで仕上げられている。よって、本考案のＬＥＤ蛍光灯管の改良構造を組み立て後、サイドカーバーは、完全に電気絶縁していて、感電の恐れはない。
【００１３】
一実施例において、本考案のＬＥＤ蛍光灯管の改良構造はさらに、係合溝の両端部にそれぞれ設ける第２フックを有し、第１フックを支えて、光透過性のカバーを係合して置く。
【００１４】
さらに、仕切板の上端部は、補強板を設けられ、補強板は、第１フックに対応していて支えて置き、組み立て後の安定性を向上させる。
このほか、サイドカーバーの内部は、それぞれ突起塊を設けていて、放熱口に密着して閉止して置き、使用するとき、虫などの進入を防止する。
【図面の簡単な説明】
【００１５】
【図１】本考案の好ましい実施例の立体分解図である。
【図２】本考案の好ましい実施例組立後の立体外観図である。
【図３】本考案の好ましい実施例組立後の断面視図（その１）である。
【図４】本考案の好ましい実施例組立後の断面視図（その２）である。
【考案を実施するための形態】
【００１６】
本考案の内容のさらなる理解を図るため、下記の説明に図式を組み合わせ、参考にしていただきたい。
【実施例】
【００１７】
図１ないし４、本考案の好ましい実施例の立体分解図、組立後の立体外観図と組立後各部位の断面視図を参照する。図に示すように、本考案のＬＥＤ蛍光灯管の改良構造１は、光透過性のカバー１１、放熱台１２、板状のＬＥＤ灯１３と、一対のサイドカーバー１４と、を備える。
【００１８】
そのうち、光透過性のカバー１１は、弾性の透光性部材（プラスチック部材）からなる円管状の構造体であり、非導電体のため、感電を防止できる。さらに、光透過性のカバー１１の軸方向に沿って放熱口１１１を設けられ、放熱口１１１は、光透過性のカバー１１の内部に向かって延在する一対の第１フック１１２を設けられ、光透過性のカバー１１は、弾性の透光性部材を使用され、第１フック１１２を成形した後は、常に外部にあてて支えを維持していて、かつ光透過性のカバー１１の内壁面は、一対の突起リブ１１３を設けられ、嵌置溝（図示しない）を形成し、放熱台１２と板状のＬＥＤ灯１３の設置に提供する。特に注意したいことは、放熱口１１１の開口部は、空間距離を設けていて、かつ空間距離は、２ｍｍより小さく、安全法規の規定に適合し、かつ気体の流動効果を確保できる。
【００１９】
放熱台１２は、アルミ金属がアルミ押し出し工程を経て、細長い片状の構造体を形成し、放熱台１２の両側は、それぞれ延伸段１２１を形成して、嵌置溝に内設していて、かつ放熱台１２上面の片側は、案内溝１２２を設けられ、案内溝１２２に対向するもう一つの側面は、取付溝１２３を設けられ、放熱台１２の底面は、垂直した下向きの開口部が次第に拡大する係合溝１２４を設けられ、放熱台１２を光透過性のカバー１１に組み立て後、光透過性のカバー１１の第１フック１１２は、係合溝１２４にあてて支えられている。さらに、取付溝１２３もう一つの側面に対向する係合溝１２４は、締めつけするためのＣ字溝１２４１を設けられている。このほか、組み立て後の安定性のさらなるの向上を図るため、係合溝１２４の両端部は、第１フック１１２を支えそれぞれ第２フック１２４２をあてて支えて置き、相互の掛け合いを形成し、ゆるみを防止する。特に注意したいことは、安全法規に適合させるため、放熱台１２の底面から放熱口１１１の外縁部は、沿面距離を有し、沿面距離は、５ｍｍより大きい。
【００２０】
板状のＬＥＤ灯１３は、複数の発光ダイオード１３１を有し、板状のＬＥＤ灯１３の一つの側縁部は、放熱台１２上面の案内溝１２２に組み込み取り付けられ、もう一つの側面は、複数の取付穴１３２を設けられ、固定溝１２３にねじ締めつけられている。
【００２１】
一対のサイドカーバー１４は、絶縁部材からなり、光透過性のカバー１１の両端部に嵌装されている。そのうち、サイドカーバー１４の内部は、一対の電気入力部１４１と一つの仕切板１４２を設けられ、電気入力部１４１は、板状のＬＥＤ灯１３と電気接続され、仕切板１４２は、放熱口１１１の間に設けていて、固定して置く。さらに、絶縁ねじ１４４を締めるため、サイドカーバー１４は、Ｃ字溝１２４１に対応して、それぞれ取付穴１４３を設けられ、かつ絶縁ねじ１４４のボルト部は、絶縁部材を使用しているため、サイドカーバー１４を光透過性のカバー１１の両端部に締めつけた後、例えば、接着方式によって、サイドカーバー１４を光透過性のカバー１１の両端部へ直接に取り付けても、完全絶縁の目的を達成し、使用者が交換するときの感電を防止する。さらに、仕切板１４２の上端部は、補強板１４２１を設けていて、補強板１４２１は、第１フック１１２を支えて置く。このほか、サイドカーバー１４の内部は、それぞれ突起塊１４５を設けられ、仕切板１４２とサイドカーバー１４の接続場所に位置し、組み立て後は、放熱口１１１に密着して閉止して置き、使用時に虫などの進入による、灯具の破損を防止する。
【００２２】
以上に説明したものは、本考案の好ましい実施例であり、本考案の実施範囲に制限を加えるものではない。よって、当技術に一般知識を有する者、または本考案の技術に熟知する者による、本考案の精神と範囲を逸脱しない、いかなる効果変化と修飾も、本考案の特許請求範囲に含まれる。
【符号の説明】
【００２３】
１        ＬＥＤ蛍光灯管の改良構造
１１      光透過性のカバー
１１１    放熱口
１１２    第１フック
１１３    突起リブ
１２      放熱台
１２１    延伸段
１２２    案内溝
１２３    固定溝
１２４    係合溝
１２４１  Ｃ字溝
１２４２  第２フック
１３      板状のＬＥＤ灯
１３１    発光ダイオード
１３２    取付穴
１４      サイドカーバー
１４１    電気入力部
１４２    仕切板
１４２１  補強板
１４３    取付穴
１４４    絶縁ねじ
１４５    突起塊
【図１】
0003173346.tif 000003
【図２】
0003173346.tif 000004
【図３】
0003173346.tif 000005
【図４】
0003173346.tif 000006